(57)【要約】【課題】側板１１の上部を谷折り線ｃ１として、これを底辺とする二等辺三角形状の折込み片３１１が連設され、この折込み片の他の二辺をそれぞれ山折り線ｇ１，ｈ１として、これらを介して一対の略三角形状折り返し片３１２，３１３が連接され、谷折り線で谷折りしかつ山折り線で山折りして、側板の外面側に折込み片を重ねると共に、一対の折り返し片の下方部分を折込み片に重ね、その上方部分を折込み片の上方に突出させ、しかも、両折り返し片の一部を互いに重ね合わせて使用するものであって、折り返し片の先端同士が衝突することなく、容易に組み立てできる紙製容器を提供すること。【解決手段】一対の折り返し片のうち一方の折り返し片３１２について、これを構成する三辺のうち折込み片の頂点を通る辺ｊ１を外側に膨出する曲線状とし、他方の折り返し片３１３について、これを構成する三辺のうち折込み片の頂点を通る辺ｋ１を内側に凹む曲線状とする。【選択図】図２
2018167849.tif 000002
【特許請求の範囲】
【請求項１】
４枚の側板から成る角筒状胴部を有する紙製容器において、
これら４枚の側板を、順に、第１側板〜第４側板としたとき、
第１側板の上部を谷折り線として、この谷折り線を底辺とする二等辺三角形状の折込み片が連設されており、かつ、この二等辺三角形状の折込み片の他の二辺をそれぞれ山折り線として、これら山折り線を介して一対の略三角形状折り返し片が連接されており、
前記谷折り線で谷折りし、かつ、前記山折り線で山折りすることにより、第１側板の外面側に前記折込み片を重ねると共に、一対の前記折り返し片の下方部分を前記折込み片に重ね、かつ、一対の前記折り返し片の上方部分をそれぞれ前記折込み片の上方に突出させ、しかも、これら一対の折り返し片の一部を互いに重ね合わせて使用する紙製容器であって、
一対の前記折り返し片のうち一方の折り返し片が、この折り返し片を構成する三辺のうち、二等辺三角形状折込み片の頂点を通る辺が外側に膨出する曲線状であり、他方の折り返し片が、この折り返し片を構成する三辺のうち、二等辺三角形状折込み片の頂点を通る辺が内側に凹む曲線状であることを特徴とする紙製容器。
【請求項２】
請求項１に記載の紙製容器において、
第３側板の上部を谷折り線として、この谷折り線を底辺とする二等辺三角形状の折込み片が連設されており、かつ、この二等辺三角形状の折込み片の他の二辺をそれぞれ山折り線として、これら山折り線を介して一対の略三角形状折り返し片が連接されており、
前記谷折り線で谷折りし、かつ、前記山折り線で山折りすることにより、第３側板の外面側に前記折込み片を重ねると共に、一対の前記折り返し片の下方部分を前記折込み片に重ね、かつ、一対の前記折り返し片の上方部分をそれぞれ前記折込み片の上方に突出させ、しかも、これら一対の折り返し片の一部を互いに重ね合わせて使用する紙製容器であって、
一対の前記折り返し片のうち一方の折り返し片が、この折り返し片を構成する三辺のうち、二等辺三角形状折込み片の頂点を通る辺が外側に膨出する曲線状であり、他方の折り返し片が、この折り返し片を構成する三辺のうち、二等辺三角形状折込み片の頂点を通る辺が内側に凹む曲線状であることを特徴とする紙製容器。
【請求項３】
請求項１又は請求項２に記載の紙製容器において、
第２側板と第４側板のいずれか一方又は両方の上部に屋根板が連接されており、
前記折り返し片を構成する一辺を折り曲げ線として、この折り曲げ線を介して前記屋根板が折り返し片に連接されていることを特徴とする紙製容器。
【請求項４】
請求項３に記載の紙製容器において、
前記屋根板の上部に摘み片が連接されていることを特徴とする紙製容器。
【請求項５】
請求項４に記載の紙製容器において、摘み片に手提げ孔が設けられていることを特徴とする紙製容器。
【発明の詳細な説明】
【技術分野】
【０００１】
本発明は紙製容器に関する。この紙製容器は、破損し易い食品や店頭で調理した食品を、その購入者が持ち帰る際に使用する用途に適している。破損し易い食品としては、例えば、ケーキ等が例示できる。また、店頭で調理した食品としては、フライドチキン、ハンバーガー、コロッケ等の揚げ物が例示できる。そして、本発明の紙容器は、これら食品を収容した内部にゴミ等の異物が落下混入することを防止できるものである。
【背景技術】
【０００２】
このように、破損し易い食品や店頭で調理した食品を、その購入者が持ち帰る用途に適し、しかも、その途中に異物が落下混入することを防止できる紙製容器は、周知であり、例えば、特許文献１に記載されている。
【０００３】
特許文献１に記載の紙製容器２１０は１枚のブランク２００を組み立てて構成されるものである。そのブランク２００を図４に示す。
【０００４】
すなわち、このブランク２００は、胴部、底部、上部の３つの部分で構成されており、胴部は、互いに折り曲げ罫線ａ２，ａ３，ａ４を介して連接された４枚の側板（説明の便宜上、これら４枚の側板を、順次、第１側板〜第４側板と呼ぶ）１１〜１４で構成されている。図において、４１は胴部を構成する糊代であり、この糊代４１は折り曲げ罫線ａ１を介して第１側板１１に連接されている。容易に理解できるように、折り曲げ罫線ａ１，ａ２，ａ３，ａ４で折り曲げると共に、糊代４１を第４側板１４の端部に接着することにより、角筒状胴部を形成することができる。
【０００５】
第１側板１１及び第３側板１３には、差込用切込みｅ１が設けられている。第１側板１１の差込用切込みｅ１は曲線状の切り込みｅ１１と、逆Ｔ字状の切り込みｅ１２とで構成されている。なお、曲線状切り込みｅ１１の中央は水平線を構成しており、逆Ｔ字状切り込みｅ１２はその中央下部に位置している。第３側板３１の差込用切込みｅ３も同様の構造を有している。
【０００６】
第１側板〜第４側板１１〜１４の下部には、それぞれ、折り曲げ罫線ｂ１〜ｂ４を介して、底部構成用紙片（説明の便宜上、これら４枚の紙片を、順次、第１底板〜第４底板と呼ぶ）２１〜２４が連接されている。なお、この例では、第１底板２１は、折り曲げ罫線ｄ１によって２つの領域２１１，２１２に区分されており、第３底板２３も、折り曲げ罫線ｄ３によって２つの領域２３１，２３２に区分されている。いずれにしても、これら第１底板〜第４底板２１，２２，２３，２４によって、紙製容器の底部を形成し、閉塞する方法は周知である。こうして、底部を閉塞した角筒状紙製容器２１０の斜視図を図５に示す。
【０００７】
次に、ブランク２００の上部構造と共に、その組み立て方を説明する。図４に示すように、第１側板１１の上部には、谷折線ｃ１を介して折込み片３１１が連設されている。この折込み片３１１は谷折線ｃ１を底辺とする二等辺三角形状であり、他の二辺ｇ１，ｈ１は互いに等しい長さを有している。この二等辺三角形状折込み片３１１の頂点には、符号Ｂ１を付している。
【０００８】
そして、この折込み片３１１を構成する二辺ｇ１，ｈ１のうち、一方の辺ｇ１を山折り線として、この山折り線ｇ１を介して折り返し片３１２が連接されている。この折り返し片３１２は、山折り線ｇ１を一辺とする略三角形状であり、その一辺ｊ１は外側に向けて
膨出する曲線状に構成されている。図中、ｊ１１はこの膨出部位を示す符号である。なお、この折込み片３１１の端部には、折込み片３１１を構成する一辺ｆ１を折り曲げ罫線として、この折り曲げ罫線を介して糊代４２が連接されている。
【０００９】
ところで、折込み片３１１を構成する他方の辺ｈ１も山折り線を構成している。そして、この山折り線ｈ１を介して折り返し片３１３が連接されている。この折り返し片３１３も、山折り線ｈ１を一辺とする略三角形状であり、その一辺ｋ１は外側に向けて膨出する曲線状に構成されている。図中、ｋ１１はこの膨出部位を示す符号である。
【００１０】
この図４から分かるように、外側に膨出する曲線状の辺ｊ１，ｋ１は、いずれも、二等辺三角形状折込み片３１１の頂点Ｂ１を通る辺であり、このため、これら曲線状の辺ｊ１，ｋ１は互いに斜めに向き合っている。
【００１１】
次に、第２側板２１の上部には、折り曲げ罫線ｃ２を介して屋根板３２１が連接されている。この屋根板３２１は折り曲げ罫線ｃ２を一辺とする長方形状である。そして、この屋根板３２１の上部には、折り曲げ罫線ｍ２を介して摘み片３２２が連接され、摘み片３２２には手提げ孔３２３が設けられている。
【００１２】
なお、屋根板３２１は、折り曲げ罫線ｆ２を介して、隣接する折り返し片３１３に連接している。また、後述するように、屋根板３２１は、折り曲げ罫線ｆ３を介して、隣接する折り返し片３３２に連接している。
【００１３】
次に、第３側板３１の上部は、第１側板１１の上部と同様の構造を有している。すなわち、第３側板３１の上部には、谷折線ｃ３を介して折込み片３３１が連設されている。この折込み片３３１は谷折線ｃ３を底辺とする二等辺三角形状であり、他の二辺ｇ３，ｈ３は互いに等しい長さを有している。この二等辺三角形状折込み片３１１の頂点には、符号Ｂ３を付している。
【００１４】
そして、この折込み片３３１を構成する二辺ｇ３，ｈ３のうち、一方の辺ｇ３を山折り線として、この山折り線ｇ３を介して折り返し片３３２が連接されている。この折り返し片３３２は、山折り線ｇ３を一辺とする略三角形状であり、その一辺ｊ３は外側に向けて膨出する曲線状に構成されている。図中、ｊ３１はこの膨出部位を示している。
【００１５】
また、折込み片３３１を構成する他方の辺ｈ３も山折り線を構成している。そして、この山折り線ｈ３を介して折り返し片３３３が連接されている。この折り返し片３３３も、山折り線ｈ３を一辺とする略三角形状であり、その一辺ｋ３は外側に向けて膨出する曲線状に構成されている。図中、ｋ３１はこの膨出部位を示す符号である。
【００１６】
外側に膨出する曲線状のこれら辺ｊ３，ｋ３は、いずれも、二等辺三角形状折込み片３３１の頂点Ｂ３を通る辺であり、このため、これら曲線状の辺ｊ３，ｋ３は互いに斜めに向き合っている。
【００１７】
なお、折り返し片３３２は、前述のように、折り曲げ罫線ｆ３を介して、隣接する屋根板３２１に連接している。また、折り返し片３３３は、折り曲げ罫線ｆ４を介して、後述する屋根板３４１に連接している。
【００１８】
また、第４側板４１の上部は、第２側板２１の上部と同様の構造を有している。すなわち、第４側板４１の上部には、折り曲げ罫線ｃ４を介して屋根板３４１が連接されている。この屋根板３４１は折り曲げ罫線ｃ４を一辺とする長方形状である。そして、この屋根板３４１の上部には、折り曲げ罫線ｍ４を介して摘み片３４２が連接され、摘み片３４２には手提げ孔３４３が設けられている。
【００１９】
また、屋根板３４１は、折り曲げ罫線ｆ４を介して、隣接する折り返し片３３３に連接している。その反対側は、糊代４に接着される端縁ｆ５である。
【００２０】
そして、この上部は、次のように組み立てて使用する。上部を組み立てた紙製容器２２０の斜視図を図６に示す。なお、説明の便宜上、第１側板１１の上部について説明するが、第３側板３１の上部の組み立て方も同様であり、これらは同時に組み立てる必要がある。
【００２１】
すなわち、第１側板１１の上部については、まず、谷折線ｃ１で谷折りすることにより、折込み片３１１を第１側板１１の外面側に重ねる。このとき、同時に、山折り線ｇ１及びｈ１の両者で山折りすることにより、一対の折り返し片３１２，３１３の下方部分を前記折込み片３１１の外面側に重ねる（図６参照）。このとき、一対の折り返し片３１２，３１３の上方部分は、折込み片３１１の上方に突出する。なお、これら折込み片３１１、折り返し片３１２，３１３は、その先端を差込用切込みｅ１に差し込んで固定することができる。
【００２２】
このように山折り線ｇ１及びｈ１の両者で山折りするため、図６に示すように、これら折り返し片３１２，３１３の膨出部位ｊ１１及びｋ１１は互いに重なり合う。すなわち、一対の折り返し片３１２，３１３の上方部分が折込み片３１１の上方に突出しているにも拘わらず、その側面は隙間なく折り返し片３１２，３１３の両者で閉塞されるのである。
【００２３】
前述のように、第３側板１３の上部も同様に組み立てる。すなわち、谷折線ｃ３で谷折りし、同時に山折り線ｇ３及びｈ３の両者で山折りする。これによって、一対の折り返し片３３２，３３３の下方部分が前記折込み片３３１の外面側に重なり、一対の折り返し片３３２，３３３の上方部分が折込み片３３１の上方に突出する。また、膨出部位ｊ３１及びｋ３１は互いに重なり合って、側面を閉塞する。そして、その先端を差込用切込みｆ３，ｇ３に差し込んで固定する。
【００２４】
そして、このように折り返し片３１２，３１３，３３２，３３３のすべてが折り返されるため、図６のように、屋根板３２１，３４１が斜めに傾いて紙製容器の上部を塞ぐ。そして、このため、異物等が容器内部に混入することが防止できる。なお、図示のように、摘み片３２２及び３４２が互いに重なり合い、その手提げ孔３２３及び３４３も互いに重なり合って、吊り手を構成する。
【先行技術文献】
【特許文献】
【００２５】
【特許文献１】特開２０１５−１７８３７４号公報
【発明の概要】
【発明が解決しようとする課題】
【００２６】
しかしながら、この紙製容器では、谷折線ｅ３で谷折りし、同時に山折り線ｈ３及びｉ３の両者で山折りしたとき、折り返し片３１２，３１３の膨出部位ｊ３１及びｋ３１が互いに衝突するという問題があった。このため、膨出部位ｊ３１と膨出部位ｋ３１のいずれか一方を紙製容器内部に向かって押圧しなければ、組み立てることができかった。
【００２７】
そこで、本発明は、側板の上部に上部を谷折り線として、この谷折り線を底辺とする二等辺三角形状の折込み片が連設されており、かつ、この二等辺三角形状の折込み片の他の二辺をそれぞれ山折り線として、これら山折り線を介して一対の略三角形状折り返し片が
連接されており、前記谷折り線で谷折りし、かつ、前記山折り線で山折りすることにより、側板の外面側に前記折込み片を重ねると共に、一対の前記折り返し片の下方部分を前記折込み片に重ね、かつ、一対の前記折り返し片の上方部分をそれぞれ前記折込み片の上方に突出させ、しかも、これら一対の折り返し片の一部を互いに重ね合わせて使用する紙製容器であって、折り返し片の先端同士が衝突することなく、容易に組み立てることのできる紙製容器を提供することを目的とする。
【課題を解決するための手段】
【００２８】
すなわち、請求項１に記載の発明は、４枚の側板から成る角筒状胴部を有する紙製容器において、
これら４枚の側板を、順に、第１側板〜第４側板としたとき、
第１側板の上部を谷折り線として、この谷折り線を底辺とする二等辺三角形状の折込み片が連設されており、かつ、この二等辺三角形状の折込み片の他の二辺をそれぞれ山折り線として、これら山折り線を介して一対の略三角形状折り返し片が連接されており、
前記谷折り線で谷折りし、かつ、前記山折り線で山折りすることにより、第１側板の外面側に前記折込み片を重ねると共に、一対の前記折り返し片の下方部分を前記折込み片に重ね、かつ、一対の前記折り返し片の上方部分をそれぞれ前記折込み片の上方に突出させ、しかも、これら一対の折り返し片の一部を互いに重ね合わせて使用する紙製容器であって、
一対の前記折り返し片のうち一方の折り返し片が、この折り返し片を構成する三辺のうち、二等辺三角形状折込み片の頂点を通る辺が外側に膨出する曲線状であり、他方の折り返し片が、この折り返し片を構成する三辺のうち、二等辺三角形状折込み片の頂点を通る辺が内側に凹む曲線状であることを特徴とする紙製容器である。
【００２９】
次に、請求項２に記載の発明は、請求項１に記載の紙製容器において、
第３側板の上部を谷折り線として、この谷折り線を底辺とする二等辺三角形状の折込み片が連設されており、かつ、この二等辺三角形状の折込み片の他の二辺をそれぞれ山折り線として、これら山折り線を介して一対の略三角形状折り返し片が連接されており、
前記谷折り線で谷折りし、かつ、前記山折り線で山折りすることにより、第３側板の外面側に前記折込み片を重ねると共に、一対の前記折り返し片の下方部分を前記折込み片に重ね、かつ、一対の前記折り返し片の上方部分をそれぞれ前記折込み片の上方に突出させ、しかも、これら一対の折り返し片の一部を互いに重ね合わせて使用する紙製容器であって、
一対の前記折り返し片のうち一方の折り返し片が、この折り返し片を構成する三辺のうち、二等辺三角形状折込み片の頂点を通る辺が外側に膨出する曲線状であり、他方の折り返し片が、この折り返し片を構成する三辺のうち、二等辺三角形状折込み片の頂点を通る辺が内側に凹む曲線状であることを特徴とする紙製容器である。
【００３０】
次に、請求項３に記載の発明は、請求項１又は請求項２に記載の紙製容器において、
第２側板と第４側板のいずれか一方又は両方の上部に屋根板が連接されており、
前記折り返し片を構成する一辺を折り曲げ線として、この折り曲げ線を介して前記屋根板が折り返し片に連接されていることを特徴とする紙製容器である。
【００３１】
次に、請求項４に記載の発明は、請求項３に記載の紙製容器において、
前記屋根板の上部に摘み片が連接されていることを特徴とする紙製容器である。
【００３２】
次に、請求項５に記載の発明は、請求項４に記載の紙製容器において、摘み片に手提げ孔が設けられていることを特徴とする紙製容器である。
【発明の効果】
【００３３】
本発明の紙製容器においては、折り返し片のうち一方の折り返し片では、二等辺三角形状折込み片の頂点を通る辺が外側に膨出する曲線状であるが、他方折り返し片では二等辺三角形状折込み片の頂点を通る辺が内側に凹む曲線状であるため、谷折線で谷折りし、同時に両山折り線で山折りしたとき、その膨出部位が状曲線を有する折り返し片の先端端部を越えて、その外側を覆うように折り曲げられる。このように膨出部位を有する折り返し片が凹状曲線を有する折り返し片の外側に位置するため、両折り返し片は互いに衝突することなく、容易に組み立てることができる。
【図面の簡単な説明】
【００３４】
【図１】図１は本発明の紙製容器のブランクを示す展開図である。
【図２】図２は本発明の紙製容器の斜視図である。
【図３】図３は本発明の紙製容器の使用状態を示す斜視図である。
【図４】図４は従来の紙製容器のブランクを示す展開図である。
【図５】図５は従来の紙製容器の斜視図である。
【図６】図６は従来の紙製容器の使用状態を示す斜視図である。
【発明を実施するための形態】
【００３５】
以下、図面を参照して本発明を説明する。なお、説明の便宜上、まず、本発明の紙製容器１１０のブランク１００について説明する。図１は本発明の紙製容器のブランク１００を示す展開図である。
【００３６】
すなわち、このブランク１００は、胴部、底部、上部の３つの部分で構成されており、胴部は、互いに折り曲げ罫線ａ２，ａ３，ａ４を介して連接された４枚の側板（説明の便宜上、これら４枚の側板を、順次、第１側板〜第４側板と呼ぶ）１１，１２，１３，１４で構成されている。図において、４１は胴部を構成する糊代であり、この糊代４１は折り曲げ罫線ａ１を介して第１側板１１に連接されている。容易に理解できるように、折り曲げ罫線ａ１，ａ２，ａ３，ａ４で折り曲げると共に、糊代４１を第４側板１４の端部に接着することにより、角筒状胴部を形成することができる。なお、糊代４１を第４側板１４の端部に接着する時には、これと同時に、後述する屋根板３４１の端部に糊代４２を接着する必要がある。
【００３７】
これら第１側板〜第４側板１１〜１４はいずれも四角形状である。すなわち、第１側板１１は折り曲げ罫線ａ１，ａ２，ｂ１及び谷折線ｃ１で囲まれており、第２側板１２は折り曲げ罫線ａ２，ａ３，ｂ２，ｃ２で囲まれている。また、第３側板１３は折り曲げ罫線ａ３，ａ４，ｂ３及び谷折線ｃ３で囲まれており、第４側板１４は折り曲げ罫線ａ４，ｂ４，ｃ４及びブランク１００の端縁で囲まれている。
【００３８】
そして、第１側板１１及び第３側板１３には、差込用切込みｅ１，ｅ３が設けられている。第１側板１１の差込用切込みは曲線状の切り込みｅ１１と、逆Ｔ字状の切り込みｅ１２とで構成されている。なお、曲線状切り込みｅ１１の中央は水平線を構成しており、逆Ｔ字状切り込みｅ１２はその中央下部に位置している。第３側板３１の差込用切込みも同様の構造を有している。
【００３９】
第１側板〜第４側板１１〜１４の下部には、それぞれ、折り曲げ罫線ｂ１〜ｂ４を介して、底部構成用紙片（説明の便宜上、これら４枚の紙片を、順次、第１底板〜第４底板と呼ぶ）２１〜２４が連接されている。なお、この例では、第１底板２１は、折り曲げ罫線ｄ１によって２つの領域２１１，２１２に区分されており、第３底板２３も、折り曲げ罫線ｄ３によって２つの領域２３１，２３２に区分されている。そして、これら折り曲げ罫線ｄ１，ｄ３の先端には、それぞれ、切り込みＡ１，Ａ３が設けられており、後述するように紙製容器の底部を組み立てたとき、これら切り込みＡ１と切り込みＡ３とは互いに噛
み合って、紙製容器の底部を閉塞する。
【００４０】
そして、折り曲げ罫線ｂ１〜ｂ４で折り曲げると共に、領域２１２を第２底板２２の端部に接着し、領域２３２を第４底板２４の端部に接着し、底部中央で切り込みＡ１と切り込みＡ３とを噛み合せることにより、紙製容器の底部を形成し、閉塞することができる。こうして、底部を閉塞した角筒状紙製容器１１０の斜視図を図２に示す。なお、折り曲げ罫線ｄ１及びｄ３で折り曲げることにより、角筒状紙製容器を扁平に押し潰すことができる。こうして扁平に押し潰された紙製容器は積み重ねて保管することができる。そして使用する際には折り曲げ罫線ｄ１及びｄ３で開くことにより、図示のような角筒状の紙製容器１１０にすることができる。
【００４１】
次に、ブランクの上部構造と共に、その組み立て方を説明する。図１に示すように、第１側板１１の上部には、谷折線ｃ１を介して折込み片３１１が連設されている。この折込み片３１１は谷折線ｃ１を底辺とする二等辺三角形状であり、他の二辺ｇ１，ｇ１は互いに等しい長さを有している。なお、この二等辺三角形状折込み片３１１の頂点には、符号Ｂ１を付している。
【００４２】
そして、この折込み片３１１を構成する二辺ｇ１，ｈ１のうち、一方の辺ｇ１を山折り線として、この山折り線ｇ１を介して折り返し片３１２が連接されている。この折り返し片３１２は、山折り線ｇ１を一辺とする略三角形状であり、その一辺ｊ１は外側に向けて膨出する曲線状に構成されている。図中、ｊ１１はこの膨出部位を示す符号である。なお、この折込み片３１１の端部には、折込み片３１１を構成する一辺ｆ１を折り曲げ罫線として、この折り曲げ罫線を介して糊代４２が連接されている。
【００４３】
ところで、折込み片３１１を構成する他方の辺ｈ１も山折り線を構成している。そして、この山折り線ｈ１を介して折り返し片３１３が連接されている。この折り返し片３１３も、山折り線ｈ１を一辺とする略三角形状である。他方、その一辺ｋ１は内側に凹む曲線状に構成されている。
【００４４】
折り返し片３１２を構成する曲線状の辺ｊ１は、一様な曲率を有する曲線であってもよいが、その一部が外側に向けて膨出するものであってもよい。この例では、曲線状の辺ｊ１の下部の曲率が上部に比較して大きく、このため、曲線状の辺ｊ１の下部が折り返し片３１２の外側に向けて膨出する膨出部位ｊ１１を形成している。
【００４５】
また、膨出部位ｊ１１を構成する部位の曲率は、内側に凹む曲線状の辺ｋ１の曲率より大きいことが望ましい。すなわち、辺ｋ１は曲率が小さく、緩やかに曲がる曲線であるのに対して、辺ｊ１の膨出部位ｊ１１を構成する部位の曲率は大きく、急激に曲がる曲線を構成していることが望ましい。
【００４６】
ところで、図１〜図２から分かるように、曲線ｊ１，ｋ１は、いずれも、二等辺三角形状折込み片３１１の頂点Ｂ１を通る辺であり、このため、これら曲線ｊ１，ｋ１は互いに斜めに向き合っている。
【００４７】
次に、第２側板２１の上部には、折り曲げ罫線ｃ２を介して屋根板３２１が連接されている。この屋根板３２１は折り曲げ罫線ｅ２を一辺とする長方形状である。そして、この屋根板３２１の上部には、折り曲げ罫線ｍ４を介して摘み片３２２が連接され、摘み片３２２には手提げ孔３２３が設けられている。
【００４８】
なお、屋根板３２１は、折り曲げ罫線ｆ２を介して、隣接する折り返し片３１３に連接している。また、後述するように、屋根板３２１は、折り曲げ罫線ｆ３を介して、隣接す
る折り返し片３３２に連接している。
【００４９】
次に、第３側板３１の上部は、第１側板１１の上部と同様の構造を有している。すなわち、第３側板３１の上部には、谷折線ｃ３を介して折込み片３３１が連設されている。この折込み片３３１は谷折線ｃ３を底辺とする二等辺三角形状であり、他の二辺ｇ３，ｈ３は互いに等しい長さを有している。この二等辺三角形状折込み片３１１の頂点には、符号Ｂ３を付している。
【００５０】
そして、この折込み片３３１を構成する二辺ｇ３，ｈ３のうち、一方の辺ｇ３を山折り線として、この山折り線ｇ３を介して折り返し片３３２が連接されている。この折り返し片３３２は、山折り線ｇ３を一辺とする略三角形状であり、その一辺ｊ３は外側に向けて膨出する曲線状に構成されている。図中、ｊ３１はこの膨出部位を示している。
【００５１】
また、折込み片３３１を構成する他方の辺ｈ３も山折り線を構成しており、この山折り線ｈ３を介して折り返し片３３３が連接されている。この折り返し片３３３も、山折り線ｈ３を一辺とする略三角形状であるが、その一辺ｋ３は内側に凹む曲線状に構成されている。
【００５２】
辺ｊ３は一様な曲率の曲線であってもよく、一部が外側に向けて膨出するものであってもよい。この例では、曲線ｊ１と同様に、下部の曲率が大きく、この下部が膨出部位ｊ１１を構成する曲線としている。また、曲線ｊ３のうち、膨出部位ｊ１１を構成する部位の曲率は、内側に凹む曲線ｋ１の曲率より大きいことが望ましい。
【００５３】
そして、曲線状のこれら辺ｊ３，ｋ３は、いずれも、二等辺三角形状折込み片３３１の頂点を通る辺であり、このため、これら曲線状の辺ｊ３，ｋ３は互いに斜めに向き合っている。
【００５４】
なお、折り返し片３３２は、前述のように、折り曲げ罫線ｆ３を介して、隣接する屋根板３２１に連接している。また、折り返し片３３３は、折り曲げ罫線ｆ４を介して、後述する屋根板３４１に連接している。
【００５５】
また、第４側板４１の上部は、第２側板２１の上部と同様の構造を有している。すなわち、第４側板４１の上部には、折り曲げ罫線ｃ４を介して屋根板３４１が連接されている。この屋根板３４１は折り曲げ罫線ｃ４を一辺とする長方形状である。そして、この屋根板３４１の上部には、折り曲げ罫線ｍ４を介して摘み片３４２が連接され、摘み片３４２には手提げ孔３４３が設けられている。
【００５６】
また、屋根板３４１は、折り曲げ罫線ｆ４を介して、隣接する折り返し片３３３に連接している。その反対側は、糊代４に接着される端縁ｆ５である。
【００５７】
そして、この上部は、次のように組み立てて使用する。なお、説明の便宜上、第１側板１１の上部を例として説明するが、第３側板３１の上部の組み立て方も同様であり、これらは同時に組み立てる必要がある。図３に上部を組み立てた紙製容器１２０の斜視図を示す。
【００５８】
第１側板１１の上部を組み立てるに当っては、次の第１の作業〜第４の作業を同時に行う必要がある。
【００５９】
すなわち、その第１の作業は、谷折線ｃ１で谷折りすることにより、折込み片３１１を第１側板１１の外面側に重ねる作業である。
【００６０】
また、第２の作業は、山折り線ｇ１及びｈ１の両者で山折りすることにより、一対の折り返し片３１２，３１３を前記折込み片３１１の外面側に重ねる作業である。この作業によって、これら折り返し片３１２，３１３の一部が折込み片３１１の外面側に重ねられるが、残部は折込み片の上方に突出する。そこで、折込み片３１１に重ねられる部位を「下方部分」と呼ぶ。折込み片３１１の上方に突出する部位は「上方部分」である。
【００６１】
なお、このとき、折り返し片３１２は膨出部位ｊ１１を有しており、他方、折り返し片３１３は内側に凹む曲線ｋ１を有しているから、その膨出部位が状曲線を有する折り返し片３１３の先端端部を越えて、その外側を覆うように折り曲げられる。このように膨出部位ｊ１１を有する折り返し片３１２が凹状曲線を有する折り返し片３１３の外側に位置するため、両折り返し片３１２，３１３は互いに衝突することなく、容易に組み立てることができる。
【００６２】
次に、第３の作業は、第１の作業及び第２の作業に伴うもので、折り曲げ罫線ｃ２を山折りして、屋根板３２１を斜めに傾ける作業である。すなわち、谷折線ｃ１で谷折りすると共に山折り線ｇ１及びｈ１の両者で山折りすることにより、折り曲げ罫線ｃ２で屋根板３２１が紙製容器の中心線方向に斜めに傾けられる。そして、前述のように、第３側板１３の上部も同時に組み立てられるから、その屋根板３４１も折り曲げ罫線ｃ４で折り曲げられ、屋根板３４１も中心線方向に斜めに傾けられる。そして、このため、屋根板３２１の上端を構成する折り曲げ罫線ｍ２と、屋根板３４１の上端を構成する折り曲げ罫線ｍ４とが重なり、屋根板３２１と屋根板３４１の両者で紙製容器の上部を閉塞することができる。なお、このように斜め方向に傾いた屋根板３２１，３４１の側面については、折り返し片３１２，３１３の上方部分が閉塞する。
【００６３】
次に、第４の作業は、折り曲げ罫線ｍ２を谷折して、摘み片３２２を垂直方向に起立させる作業である。前述のように、第３側板１３の上部も同時に組み立てられ、折り曲げ罫線ｍ２と折り曲げ罫線ｍ４とが重ねられるから、垂直方向に起立した摘み片３２２は、同様に起立した摘み片３４２と重ねられる。そして、手提げ孔３２３と手提げ孔３４３も互いに重ねられるから、この手提げ孔３２３，３４３に指を差し込んで持つことができる。
【符号の説明】
【００６４】
１００：紙製容器のブランク
１１０：紙製容器
１２０：上部を組み立てた紙製容器
１１：第１側板    １２：第２側板    １３：第３側板    １４：第４側板
３１１：折込み片    ３１２：折り返し片    ３１３：折り返し片
ｃ１：谷折り線
ｇ１：山折り線    ｈ１：山折り線
ｊ１：外側に向けて膨出する曲線状の辺    ｊ１１：膨出部位
ｋ１：内側に凹む曲線状の辺
【図１】
2018167849.tif 000003
【図２】
2018167849.tif 000004
【図３】
2018167849.tif 000005
【図４】
2018167849.tif 000006
【図５】
2018167849.tif 000007
【図６】
2018167849.tif 000008